(57)【要約】【課題】電気回路を適切に形成することのできるブレッドボードを提供する。【解決手段】ブレッドボードは、互いに絶縁された複数のラインに区分された複数の挿入孔であって、端子を挿入および抜去することが可能な複数の挿入孔１０を含む本体１と、同じラインに区分された少なくとも２つの挿入孔１０の各々に端子が挿入された場合に、少なくとも２つの挿入孔１０の各々に挿入された端子を相互に電気的に接続するコネクタ３とを備えている。コネクタ３は、少なくとも２つの挿入孔１０の各々に挿入された端子をコネクタ３よりも下方まで延在させる。【選択図】図２
2014212152.tif 000002
【特許請求の範囲】
【請求項１】
互いに絶縁された複数のラインに区分された複数の挿入孔であって、端子を挿入および抜去することが可能な複数の挿入孔を含む本体と、
同じラインに区分された少なくとも２つの挿入孔の各々に端子が挿入された場合に、前記少なくとも２つの挿入孔の各々に挿入された端子を相互に電気的に接続する接続部とを備え、
前記接続部は、前記少なくとも２つの挿入孔の各々に挿入された端子を前記接続部よりも下方まで延在させる、ブレッドボード。
【請求項２】
前記接続部は、
前記少なくとも２つの挿入孔の各々に挿入された端子を固定する固定部と、
前記固定部よりも下方であって、前記本体の上部から見た場合に前記少なくとも２つの挿入孔と重なる位置に形成された貫通孔とを含み、
前記貫通孔は、前記固定部によって固定された端子の端部を貫通させる、請求項１に記載のブレッドボード。
【請求項３】
前記本体は、
底面を有し、前記少なくとも２つの挿入孔の各々に挿入された端子の端部を収納する下部溝と、
前記下部溝と連通し、前記接続部を収納する上部溝とをさらに含む、請求項１または２に記載のブレッドボード。
【請求項４】
前記接続部は複数であり、かつ複数の前記接続部の各々は前記複数のラインの各々に対応して設けられ、かつ前記本体によって互いに絶縁される、請求項１〜３のいずれかに記載のブレッドボード。
【発明の詳細な説明】
【技術分野】
【０００１】
本発明は、ブレッドボードに関し、より特定的には、互いに絶縁された複数のラインに区分された複数の挿入孔を含むブレッドボードに関する。
【背景技術】
【０００２】
ブレッドボードは、半田付けなどの融着加工を行うことなく、電子部品や配線の接続および絶縁を行うことのできる、再構成可能な回路基板として知られている。従来のブレッドボードは、たとえば次のような構造を有している。
【０００３】
図５は、従来のブレッドボードの構成を模式的に示す図である。（ａ）は、ブレッドボードの上面の一部の構成を示す平面図であり、（ｂ）は、コネクタ（またはジャック）の一部の構成を示す斜視図である。
【０００４】
図５（ａ）を参照して、ブレッドボードは、縦横に等間隔に開口された複数の挿入孔１１０を上面に含む本体１０１を備えている。本体１０１は絶縁体よりなっている。複数の挿入孔１１０は、互いに絶縁された複数のラインＬ１０１〜Ｌ１０３に区分されている。挿入孔１１０のうち挿入孔１１１は、ラインＬ１０１に区分されている。挿入孔１１１は、同じラインＬ１０１に区分された挿入孔（たとえば挿入孔１１２）と相互に電気的に接続されており、他のラインに区分された挿入孔（たとえば挿入孔１１３）と絶縁されている。
【０００５】
図５（ｂ）を参照して、ブレッドボードは、本体１０１の下部に設けられた複数のコネクタ１０３をさらに備えている。複数のコネクタ１０３の各々は、導電体よりなっており、同じラインに区分された挿入孔に挿入された端子を相互に電気的に接続する。複数のコネクタ１０３の各々は、各ラインＬ１０１〜Ｌ１０３に沿って、挿入孔１１０の直下に配置されている。複数のコネクタ１０３の各々は、本体１０１によって互いに絶縁されている。コネクタ１０３は、Ｕ字状の断面形状を有している。コネクタ１０３は、一列に並んだ複数の板バネ１３１と、複数の板バネ１３１を接続する底面１３２とを含んでいる。複数の板バネ１３１の各々は、同じラインに区分された挿入孔１１０の各々に対応している。挿入孔１１０に電子部品のリード線が挿入された場合、板バネ１３１は、そのリード線を挟み込むことによって固定する。
【０００６】
ブレッドボードの使用者は、電子部品のリード線を挿入孔１１０に挿入することにより、その電子部品を、同じラインに区分された挿入孔１１０に挿入された他の電子部品と電気的に接続することができ、他のラインに区分された挿入孔１１０にリード線が挿入された他の電子部品と絶縁することができる。これにより、ブレッドボードの使用者は、電子回路を容易に試作することができる。
【０００７】
なお、従来のブレッドボードの構造は、たとえば下記特許文献１に開示されている。下記特許文献１には、ブレッドボードの構成要素であるセル内において、端子を保持する穴が複数個ならんでいるものを一つの接続ラインとして、トランジスタの３端子をそれぞれ接続するための３つの接続ラインを、当該トランジスタの回路図記号上の３端子と近似した形態で配置する技術が開示されている。
【先行技術文献】
【特許文献】
【０００８】
【特許文献１】特開２００５―１１９００号公報
【発明の概要】
【発明が解決しようとする課題】
【０００９】
図６は、従来のブレッドボードに電子部品を挿入した状態を模式的に示す図である。（ａ）は、ブレッドボードの一部の構成を示す平面図であり、（ｂ）は、（ａ）のＶＩＢ−ＶＩＢ線に沿った断面図である。
【００１０】
図６（ａ）を参照して、電子部品ＥＣ１の２本のリード線ＬＷ１およびＬＷ２の各々が、複数の挿入孔１１０のうち挿入孔１１４および１１５の各々に挿入されている状態を想定する。図６（ｂ）を参照して、この場合、リード線ＬＷ１は、挿入孔１１４内に設けられたコネクタ１０３の板バネ１３１によって固定されており、リード線ＬＷ２は、挿入孔１１５内に設けられたコネクタ１０３の板バネ１３１によって固定されている。リード線ＬＷ１およびＬＷ２の先端は、コネクタ１０３の底面１３２と接触している。
【００１１】
図６（ｂ）から明らかであるように、従来のブレッドボードでは、電子部品のリード線の延長線上に、リード線を固定するコネクタの底面が存在している。このため、電子部品を挿入できる深さに制約があり、電子部品がブレッドボードの本体から浮いた状態で実装されていた。その結果、電気回路を適切に形成できないという問題が生じていた。
【００１２】
すなわち、電子部品が挿入孔から上方に離れた位置に存在するので、ブレッドボードの使用者は、構成した電気回路を把握しにくくなっていた。また、電子部品本体とコネクタとを接続するリード線が長くなるので、リード線の電気的な寄生成分（インダクタンスや抵抗など）による電気回路の性能劣化が生じやすくなっていた。さらに、意図しない外力が電子部品に加えられた場合、リード線が曲がって電子部品の配置状態が乱れ、望ましくない電気的接触や短絡が生じやすくなっていた。
【００１３】
上述の問題に対処する方法として、電子部品のリード線を切断する方法が考えられる。しかしこの方法では、ブレッドボードに挿入した後の電子部品のリード線が短くなるので、電子部品の再利用が容易ではなくなるという問題が生じていた。
【００１４】
本発明は、上記課題を解決するものであり、その目的は、電気回路を適切に形成することのできるブレッドボードを提供することである。
【課題を解決するための手段】
【００１５】
本発明のブレッドボードは、互いに絶縁された複数のラインに区分された複数の挿入孔であって、端子を挿入および抜去することが可能な複数の挿入孔を含む本体と、同じラインに区分された少なくとも２つの挿入孔の各々に端子が挿入された場合に、少なくとも２つの挿入孔の各々に挿入された端子を相互に電気的に接続する接続部とを備え、接続部は、少なくとも２つの挿入孔の各々に挿入された端子を接続部よりも下方まで延在させる。
【００１６】
上記ブレッドボードにおいて好ましくは、接続部は、少なくとも２つの挿入孔の各々に挿入された端子を固定する固定部と、固定部よりも下方であって、本体の上部から見た場合に少なくとも２つの挿入孔と重なる位置に形成された貫通孔とを含み、貫通孔は、固定部によって固定された端子の端部を貫通させる。
【００１７】
上記ブレッドボードにおいて好ましくは、本体は、底面を有し、少なくとも２つの挿入孔の各々に挿入された端子の端部を収納する下部溝と、下部溝と連通し、接続部を収納する上部溝とをさらに含む。
【００１８】
上記ブレッドボードにおいて好ましくは、接続部は複数であり、かつ複数の接続部の各々は複数のラインの各々に対応して設けられ、かつ本体によって互いに絶縁される。
【発明の効果】
【００１９】
本発明によれば、電気回路を適切に形成することのできるブレッドボードを提供することができる。
【図面の簡単な説明】
【００２０】
【図１】本発明の第１の実施の形態におけるブレッドボードの構成を示す平面図である。
【図２】本発明の第１の実施の形態におけるブレッドボードの一部（３行３列の挿入孔が形成された部分）の構成を示す分解斜視図である。
【図３】本発明の第１の実施の形態におけるブレッドボードに電子部品を挿入した状態を模式的に示す図である。
【図４】本発明の第２の実施の形態におけるブレッドボードの一部の構成を示す分解斜視図である。
【図５】従来のブレッドボードの構造を模式的に示す図である。
【図６】従来のブレッドボードに電子部品を挿入した状態を模式的に示す図である。
【発明を実施するための形態】
【００２１】
以下、本発明の実施の形態について、図面を用いて説明する。
【００２２】
［第１の実施の形態］
【００２３】
図１は、本発明の第１の実施の形態におけるブレッドボードの構成を示す平面図である。
【００２４】
図１を参照して、本実施の形態におけるブレッドボードは、絶縁体よりなる本体１（本体の一例）を備えている。本体１は、リード線（端子の一例）を挿入および抜去することが可能な複数の挿入孔１０を、その上面に含んでいる。複数の挿入孔１０の各々は、たとえば行方向および列方向に等間隔に（正方格子状に）開口されている。本体１の上面は、部品用エリアであるＡＲ１と、電源用エリアであるＡＲ２とに区分されている。エリアＡＲ１に存在する複数の挿入孔１０の各々には、列ごとにａ〜ｌのアルファベットが付されており、行ごとに１〜２６の数字が付されている。これにより、たとえば挿入孔１０のうち挿入孔１１の座標は、列の座標をｘ、行の座標をｙとすると、（ｘ，ｙ）＝（２４，ｂ）と表される。
【００２５】
エリアＡＲ１に存在する複数の挿入孔１０は、互いに絶縁された複数のラインに区分されている。エリアＡＲ１に存在する複数の挿入孔１０のうち、同じ列に存在し、かつａ〜ｆまでの行に存在する挿入孔は、同じラインに区分されている。また、同じ列に存在し、かつｇ〜ｌまでの行に存在する挿入孔は、同じラインに区分されている。具体的には、（ｘ，ｙ）＝（１，ａ）、（１，ｂ）、（１，ｃ）、（１，ｄ）、（１，ｅ）、および（１，ｆ）の座標に存在する６つの挿入孔１０は、同じラインＬ１に区分されている。同様に、（ｘ，ｙ）＝（１，ｇ）、（１，ｈ）、（１，ｉ）、（１，ｊ）、（１，ｋ）、および（１，ｌ）に存在する６つの挿入孔１０は、同じラインＬ２に区分されている。
【００２６】
エリアＡＲ２に存在する複数の挿入孔１０は、行方向に延在する４つのラインＬ３〜Ｌ６に区分されている。
【００２７】
同じラインに区分された挿入孔１０（たとえば挿入孔１２および１３）同士は相互に電気的に接続されており、他のラインに区分された挿入孔１０（たとえば挿入孔１１）とは絶縁されている。
【００２８】
図２は、本発明の第１の実施の形態におけるブレッドボードの一部（３行３列の挿入孔が形成された部分）の構成を示す分解斜視図である。なお図２では、行方向および列方向が図１の場合と異なっている。
【００２９】
図２を参照して、ブレッドボードは、導電体よりなるコネクタまたはジャック３（接続部の一例、以降、コネクタ３と記すことがある）をさらに備えている。本体１は、蓋１Ａと、筐体１Ｂとを含んでいる。蓋１Ａは、筐体１Ｂの上部に設けられている。蓋１Ａには複数の挿入孔１０が開口されている。筐体１Ｂは複数の溝５を有している。コネクタ３の各々は、蓋１Ａの下部に設けられており、複数の溝５の各々の内部に収納されている。コネクタ３の各々は、複数のラインの各々に対応して設けられ、筐体１Ｂの仕切り壁５５によって互いに絶縁されている。
【００３０】
筐体１Ｂにおいて、複数の溝５の各々は、たとえば列方向（図２中横方向）に延在した矩形状の平面形状を有しており、行方向（図２中縦方向）に配列している。溝５は、平面的に見て、１つのラインに区分されている複数の挿入孔１０の各々と重なる位置に設けられている。
【００３１】
溝５の内部にはコネクタ３が収納されている（なお、図２では１つのコネクタ３のみが示されている）。溝５は、互いに連通した上部溝５１と下部溝５２とを含んでいる。上部溝５１の行方向の長さはコネクタ３の行方向の長さよりも長く、上部溝５１の列方向の長さはコネクタ３の列方向の長さよりも長い。一方、下部溝５２の行方向の長さはコネクタ３の行方向の長さよりも短く、下部溝５２の列方向の長さはコネクタ３の列方向の長さよりも短い。これにより、上部溝５１と下部溝５２との間には、コネクタ３を支持可能なステップ５３が生じる。コネクタ３は、ステップ５３で支持された状態で上部溝５に収納され、溝５の底面５４への落下が防止される。コネクタ３は、溝５の底面５４から上方に離れた位置で溝５内に収納される。上部溝５１内に収納されたコネクタ３の下部には、下部溝５２により構成された空間が存在する。なおコネクタ３は、接着など他の方法で溝５内に収納されてもよい。
【００３２】
溝５は、電子部品のリード線が挿入される部分である。電子部品をブレッドボードに深く挿入することができるように、リード線を収納可能な程度の十分な深さを有することが好ましい。具体的には、溝５は３ｃｍ〜４ｃｍの深さを有することが好ましい。
【００３３】
コネクタ３は、同じラインに区分された２つの挿入孔１０の各々に挿入されたリード線を相互に電気的に接続する。コネクタ３は、たとえば直方体の形状を有している。コネクタ３は、複数の貫通孔３１を有している。複数の貫通孔３１の各々は、平面的に見て、同じラインに区分された複数の挿入孔１０の各々と重なる位置に形成されている。言い換えれば、挿入孔１０、貫通孔３１、および溝５は、リード線の挿入方向に対して平行に延在している。コネクタ３は、貫通孔３１の壁面から内部に延在する板バネ３２（固定部の一例）をさらに有している。板バネ３２は、挿入孔１０に挿入された電子部品のリード線を固定する。板バネ３２は、その下方に貫通孔３１の少なくとも一部が存在するような位置に設けられればよく、電子部品本体とコネクタ３との電気的な距離を縮めるために、なるべく蓋１Ａに近い位置に設けられることが好ましい。
【００３４】
図３は、本発明の第１の実施の形態におけるブレッドボードに電子部品を挿入した状態を模式的に示す図である。（ａ）は、ブレッドボードの一部の構成を示す平面図であり、（ｂ）は、（ａ）のＩＩＩＢ−ＩＩＩＢ線に沿った断面図である。
【００３５】
図３（ａ）を参照して、電子部品ＥＣ１の２本のリード線ＬＷ１およびＬＷ２の各々が、複数の挿入孔１０のうち挿入孔１４および１５の各々に挿入されており、電子部品ＥＣ２の２本のリード線ＬＷ３およびＬＷ４の各々が、複数の挿入孔１０のうち挿入孔１６および１７の各々に挿入されている状態を想定する。図３（ａ）および（ｂ）を参照して、この場合、リード線ＬＷ１、ＬＷ２、ＬＷ３、およびＬＷ４の各々は、コネクタ３の板バネ３２によって固定される。その結果、同じラインに区分された挿入孔１５および１６に挿入されたリード線ＬＷ２およびＬＷ３は、コネクタ３を介して相互に電気的に接続される。一方、リード線ＬＷ２およびＬＷ３は、異なるラインに区分された挿入孔１４および１７に挿入されたリード線ＬＷ１およびＬＷ４と絶縁される。これにより、電気回路の分離および接続が行われ、電気回路が構成される。
【００３６】
コネクタ３は、リード線ＬＷ１、ＬＷ２、ＬＷ３、およびＬＷ４の各々をコネクタ３よりも図３中下方まで延在させる。板バネ３２によって固定された状態のリード線ＬＷ１、ＬＷ２、ＬＷ３、およびＬＷ４の各々の端部は、貫通孔３１を貫通し、下部溝５２に収納される。リード線ＬＷ１、ＬＷ２、ＬＷ３、およびＬＷ４の各々の端部は、溝５の底面５４と接触してもよい。
【００３７】
［第２の実施の形態］
【００３８】
図４は、本発明の第２の実施の形態におけるブレッドボードの一部の構成を示す分解斜視図である。
【００３９】
図４を参照して、本実施の形態のブレッドボードにおいて、コネクタ３は、複数の板バネ３２と、複数の板バネ３２を接続する底面３３とを含んでいる。底面３３には、複数の挿入孔１０に共通する１つの貫通孔３１が開口されている。
【００４０】
ブレッドボードはスペーサー６をさらに備えている。スペーサー６は連通孔６１を含んでいる。連通孔６１はたとえば貫通孔３１と同一の平面形状を有しており、平面的に見て貫通孔３１と重なる位置に設けられている。
【００４１】
溝５の行方向および列方向の長さは一定であり、溝５にステップは設けられていない。スペーサー６は溝５の底面５４に接触して溝５内に収納され、コネクタ３はスペーサー６上に配置される。これにより、コネクタ３は、スペーサー６によって底面５４から隔てられ、溝５の底面５４から上方に離れた位置で溝５内に収納される。
【００４２】
コネクタ３は、挿入孔１０に挿入されたリード線をコネクタ３よりも図４中下方まで延在させる。板バネ３２によって固定された状態のリード線の端部は、貫通孔３１を貫通し、連通孔６１に収納される。
【００４３】
なお、上述以外のブレッドボードの構成は、第１の実施の形態に場合と同様であるので、同一の部材には同一の符号を付し、その説明は繰り返さない。
【００４４】
［実施の形態の効果］
【００４５】
上述の実施の形態によれば、コネクタは、挿入孔に挿入されたリード線をコネクタよりも下方まで延在させるので、電子部品のリード線をブレッドボードに深く挿入することができる。これにより、電子部品を挿入孔に近い位置に存在させることができ、電子部品の視認性が向上する。ブレッドボードの使用者は、構成した電気回路を容易に把握することができる。また、電子部品本体とコネクタとを接続するリード線が短くなり、リード線の電気的な寄生成分による電気回路の性能劣化を防止することができる。また、意図しない外力が電子部品に加えられた場合であってもリード線が曲がりにくく、望ましくない電気的接触や短絡を防止することができる。さらに、電子部品のリード線を切断する必要が無いので、電子部品の再利用が容易になる。その結果、電気回路を適切に形成することができる。
【００４６】
［その他］
【００４７】
コネクタがリード線を固定する方法は、板バネを用いる方法以外の方法であってもよい。たとえば図２において、たとえば挿入孔１０を小径にするなどの方法で、挿入孔１０の各々にリード線を固定する機能を与え、コネクタ３は単にリード線と接触するだけの機能を有していてもよい。
【００４８】
ブレッドボードに挿入される電子部品は、任意であり、ＬＥＤ（Ｌｉｇｈｔ  Ｅｍｉｔｔｉｎｇ  Ｄｉｏｄｅ）や電気抵抗のように２つの端子を有する電子部品である場合の他、たとえばトランジスタのように３つ以上の端子を含む電子部品であってもよい。
【００４９】
ブレッドボードにおいて、複数の挿入孔の行数、列数、および複数の挿入孔が設けられる位置は任意である。複数の挿入孔のパターンは、上述の正方格子状に限定されるものではない。
【００５０】
ブレッドボードの本体は、上述のように蓋と筐体とにより構成されるもの以外のものであってもよく、その構造は任意である。
【００５１】
上述の実施の形態は互いに組み合わせることができる。たとえば第１の実施の形態と第２の実施の形態とを組み合わせることにより、図２の直方体状のコネクタが、同じラインに区分された複数の挿入孔１０で共通する１つの貫通孔と、その貫通孔に設けられた板バネとを含むようにしてもよい。
【００５２】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５３】
１，１０１  本体
１Ａ  蓋
１Ｂ  筐体
３，１０３  コネクタ
５  溝
６  スペーサー
１０〜１６，１１０〜１１４  挿入孔
３１  貫通孔
３２，１３１  板バネ
３３，１３２  コネクタの底面
５１  上部溝
５２  下部溝
５３  ステップ
５４  溝の底面
５５  仕切り壁
６１  連通孔
ＡＲ１，ＡＲ２  エリア
ＥＣ１，ＥＣ２  電子部品
Ｌ１〜Ｌ６，Ｌ１０１〜Ｌ１０３  ライン
ＬＷ１〜ＬＷ３  リード線
【図１】
2014212152.tif 000003
【図２】
2014212152.tif 000004
【図３】
2014212152.tif 000005
【図４】
2014212152.tif 000006
【図５】
2014212152.tif 000007
【図６】
2014212152.tif 000008